【事件の表示】
　特願２０１６−５６３９４３「流体の閉じた移送のためのシステム」拒絶査定不服審判事件〔平成２７年１０月２９日国際公開、ＷＯ２０１５／１６４３３３、平成２９年　６月　１日国内公表、特表２０１７−５１３６１３〕について、次のとおり審決する。
【結　論】
　本件審判の請求は、成り立たない。
【理　由】
第１　手続の経緯
　本願は、２０１５年（平成２７年）　４月２１日（パリ条約による優先権主張外国庁受理　２０１４年　４月２１日　米国）を国際出願日とする出願であって、その手続の経緯は、概略以下のとおりである。
　平成２９年１０月１９日：拒絶理由通知
　平成３０年　１月３１日：意見書、手続補正書の提出
　平成３０年　５月１０日：拒絶査定
　平成３０年　９月１８日：審判請求、同時に手続補正書の提出
　令和　１年１０月１７日：拒絶理由通知
　令和　２年　１月２９日：意見書、手続補正書（以下、この手続補正書による手続補正を「本件補正」という。）の提出
第２　本願発明
　本件補正によって補正された特許請求の範囲の請求項１（以下、「本願発明」という。）は、以下のとおりである。
「シリンジアダプタであって、
　第１端および第２端を有し、前記第１端が、第１の容器に固定されるように構成される、ハウジングと、
　第１端および第２端を有するカニューレであって、該カニューレの第２端が、前記ハウジング内に配置された、前記カニューレと、
　第１端および第２端を有するコレットであって、該コレットの少なくとも一部は、前記ハウジング内に受容され、前記コレットは、通路を画定する本体と、前記通路に受容されるシール部材と、ロック部材とを備え、前記ロック部材は、第１の弧状部分と、第２の弧状部分を含み、前記第１の弧状部分は、前記コレットの前記本体に複数のアームを介して弾性的に接続され、前記第２の弧状部分は、前記コレットの前記本体に複数のアームを介して弾性的に接続され、前記第１および第２の弧状部分は、前記複数のアームに対して、半径方向内方および半径方向外方に突出し、前記コレットは、前記ロック部材が、開かれて、相手コネクタを受容する第１の位置から、前記ロック部材の径方向外方への移動が規制される第２の位置に移動可能である、前記コレット、
を含み、
　前記ハウジングの前記第２端は、前記コレットが前記第１の位置にあるとき、前記コレットの前記ロック部材を受け入れる環状凹部を画定することを特徴とするシリンジアダプタ。」
第３　拒絶の理由
　令和１年１０月１７日の当審が通知した拒絶理由のうちの理由２は、次のとおりのものである。
　本願発明は、本願の優先日前に日本国内又は外国において、頒布された又は電気通信回線を通じて公衆に利用可能となった下記の引用文献１に記載された発明及び引用文献１及び引用文献２にそれぞれ記載された周知技術に基いて、その優先日前にその発明の属する技術の分野における通常の知識を有する者（以下、「当業者」という。）が容易に発明をすることができたものであるから、特許法第２９条第２項の規定により特許を受けることができない。
引用文献１．特開２０１３−６６７４８号公報
引用文献２．国際公開第２０１４／００３６１４号
第４　引用文献の記載及び引用発明
１　引用文献１
（１）引用文献１には、以下の事項が記載されている。なお、下線は、当審において付与した。
Ａ「【０００１】
　本発明は、流体移送デバイスの分野に関するものである。より詳細には、本発明は、容器間で有害薬剤を汚染なく移送するための装置及び方法に関するものである。」
Ｂ「【００１１】
　本発明の目的は、有害薬剤、又は有害薬剤若しくは薬剤の気化物によって汚染された空気の漏洩を防止し、周囲環境からの汚染物質が移送プロセス中に薬剤と接触するのを防止するように構成された、密閉システムの流体移送アセンブリを提供することである。
【００１２】
　本発明の別の目的は、同じ体積の有害薬剤及び空気が、圧力を平準化する構成によって流体移送アセンブリ内部で交換され、それによって使用者が有害薬剤に曝されることを防止する、密閉システムの流体移送アセンブリを提供することである。
【００１３】
　本発明の別の目的は、流体移送作業の任意の段階においても、使用者に対して針の先端などの鋭い物体を露出しない、流体移送アセンブリを提供することである。」
Ｃ「【００２１】
　本明細書では、流体移送構成要素は、例えば
注射器
Ｄ「【００５５】
　図１は、本発明の一実施例による、周囲を汚染せずに有害薬剤を移送するための装置１０の斜視図を示す。
装置１０の近位部２７は、本質的に従来の注射器である。
Ｅ「【００７２】
　図９に示されるように、
コネクタ部２５は、近位のキャップ１１３から近位に突出し、スロート２６を囲むカラー１２４によって近位部２７のスロート２６に連結される。
【００７３】
　図９に示されるように、
コネクタ部２５は、円筒形の中空の外側本体１２８と、本体１２８から径方向に突出し、流体移送構成要素の近位端が連結のためにそこを通して挿入される開口１２６で終端する遠位のショルダ部分１２９と、本体１２８の内部で往復移動可能な二重膜シール・アクチュエータ１３０と、円筒形のアクチュエータ・ケーシング１３７の中間の部分に、その近位端で連結された弾性のアーム１３３及び１３４と、コネクタ部２５の内部１１９内に、その密閉された近位のキャップ１１３の中央部分から突出する針ホルダ１１５に保持された固定式の空気導管４６及び液体導管４８とを備える。
【００７４】
　導管４６及び４８は、針ホルダ１１５から遠位に延出し、アクチュエータ１３０の膜１４２を突き通す。
導管４６及び４８の遠位端はそれぞれ、鋭い尖った端部４６ａ及び４８ａを有し
液体導管４８の近位端は、液体導管が流体移送ユニット１０のスロート２６の内部と流体連通するように、コネクタ部２５のキャップ１１３において、又はそこからわずかに近位に終端する。
【００７５】
　本明細書で上記に説明されたように、流体は、同じ体積の有害薬剤及び空気が流体移送アセンブリの内部で交換される圧力平衡構成によって移送される。流体移送ユニット１０は、キャップ５２からピストン３４に延出する中空のピストン・ロッド３０を備え、バレル２４の内壁に密封式に係合し、バレル２４に対して移動可能である。ピストン３４は、可変の体積の２つのチャンバを画成する。それは、ピストン３４とコネクタ部２５との間の遠位の液体チャンバ３８、及びピストン３４とストッパ２８との間の近位の空気チャンバ４０である。空気導管４６は、ピストン３４を通過し、中空のピストン・ロッド３０の内部に延出する。導管４６を通って流れる空気は、ピストン・ロッド３０の内部に入り、ピストン・ロッド３０の遠位端に形成された孔５０（図１０Ｃに示される）を通って空気チャンバ４０を出る。空気導管４６よりもかなり短い導管４８は、薬剤の溶液が液体チャンバ３８に流入できるように構成されている。
【００７６】
　二重膜シール・アクチュエータ１３０は、矩形断面を有する近位のディスク形状の膜１４２、及びＴ字形断面を有する遠位の二重ディスク形状の膜１４３を含み、その膜１４３は、矩形の近位部分１４４及び近位部分１４４に対して径方向内側に配置される遠位部分１４７を有する。
膜１４２及び１４３は、ケーシング１３７内に設置され
等しい長さのアーム１３３及び１３４が、伸長され、実質的に長手方向に配置され、それぞれ連結点１６１’及び１６２’でケーシング３７に取り付けられている。アーム３３及び３４は、それぞれ遠位の拡張要素１６１及び１６２で終端する。弾性のアーム１３３及び１３４は、そうすることが妨げられない限り、拡張要素１６１及び１６２の間の距離が、コネクタ部２５の直径よりも拡張されるように設計される。
アクチュエータ１３０が、この第１の位置にある場合、尖った端部４６ａ及び４８ａが膜１４２及び１４３の間に保持され
Ｆ「【００７８】
　
図１１及び図１２は、それぞれ、バイアル・アダプタ１６０の斜視図及び断面図を示す。バイアル・アダプタ１６０は、コネクタ部２５を薬剤バイアル１４、又は適切な形状及び寸法にされたポートを有する任意のその他の構成要素に連結するために使用される中間の連結である。
【００７９】
　
バイアル・アダプタ１６０は、環状の近位のキャップ１６８を設けられたカラー部１６５、及びキャップ１６８から近位に突出する長手方向の延長部１６９を含む。
カラー部分１６５は、バイアル１４のヘッド部２０への固定を促進するための、その内側の面の凸リップ１６３と共に形成された複数の円周部のセグメント１６７から成る。
【００８０】
　膜１７６から遠位に延出する２つの長手方向のチャネル１７８及び１７９は、長手方向の延長部１６９の内部に形成され、それぞれ導管４６及び４８を受け入れるように構成される。膜囲壁１７１には、スロットがあり、コネクタ部２５の、円筒形の中空の外側本体１２８の内側には、稜部又はピンがある（スロットも稜部も図には示されない）。連結する間、稜部／ピンは、スロット内に入り、摺動しなければならず、任意のその他の方向に対しては、稜部／ピンは、膜囲壁１７１に接触し、さらなる連結の動きを阻止する。稜部／ピン及びスロットは、導管４６及び４８が常に、長手方向の延長部１６９内のそれらの指定されたチャネルに入るように、それぞれの部分に配置される。長手方向の延長部１６９はキャップ６８から遠位に突出するスパイク要素１７７によって遠位に終端する。スパイク要素７７は、それぞれチャネル１７８及び１７９と連通する開口１８８及び１８９によって形成される。
【００８１】
　バイアル１４は、中央の近位のシール５８を有し、シール５８は、収容された薬剤の外側への漏洩を防止するように構成される。遠位の力がバイアル・アダプタ１６０に加えられるとき、スパイク要素がバイアル１４のシール５８を突き通して、チャネル１７８及び１７９が薬剤バイアル１４の内部と連通できるようにする。これが起こるとき、
カラー部分１６５の円周部のセグメント１６７が、バイアル１４のヘッド部２０と確実に係合する。
Ｇ「【００８２】
　図１３から図１６は、それぞれ、アクチュエータ３０によって可能となる、固定された二重膜係合手順を示す。図示されるように、アクチュエータ１３０の遠位の膜１４３は、バイアル・アダプタ１６０の膜１７６と固定係合されるが、固定係合作業は、任意のその他の適切な流体移送構成要素と共に実行できることを理解されたい。手順は、以下のように実行される。ステップ１−バイアル・アダプタ１６０の膜囲壁１７１がコネクタ部２５の遠位開口１２６の近くに配置される。ステップ２−二重膜係合手順が、コネクタ部２５の遠位に移動する本体１２８によって開始され、バイアル・アダプタ１６０の膜囲壁１７１及び延長部１６９がコネクタ部２５の内部１１９の遠位端に入るまで行われる。ステップ３−アクチュエータ３０の膜１４３がバイアル・アダプタ１６０の固定膜１７６に接触し、本体１２８のさらなる遠位の移動によって押し付けられる。膜が互いに強固に押し付けられた後に、拡張要素１６１及び１６２がショルダ部分１２９から解除される。この段階では、膜１４３及び１７６は、拡張要素１６１及び１６２によって互いに押し付けられて保持され、アクチュエータ１３０が、相対的な近位の移動によりバイアル・コネクタ１６０から係脱することが防止される。ステップ４−導管４６及び４８の先端が膜１４３及び１７６を突き通し、バイアル１４の内部と流体連通するまで、本体１２８のさらなる遠位の移動により、アクチュエータ１３０が本体１２８に対して近位に移動する。これらの４つのステップは、コネクタ部２５がバイアル・アダプタ１６０に対して遠位に移動されるとき、１つの連続的な軸線方向の動作によって行われ、それらのステップは、コネクタ部２５を固定して保持しバイアル・アダプタ１６０を遠位に移動することによってバイアル・アダプタ１６０からコネクタ部２５を分離するために、逆に行うことができる。手順は４つの別個のステップを含むものとして本明細書に説明されるが、これは手順を説明するのを容易にするために過ぎないことを重要な点として強調しておきたい。実際には、本発明を使用した固定された二重膜係合（及び係脱）手順は、単一の円滑な軸線方向の移動を使用して実行されることが理解されよう。
【００８３】
　流体移送装置１０が取り付けられるコネクタ部２５を、バイアル１４が取り付けられるバイアル・アダプタ１６０に連結する手順の第１のステップは、図１３に示される。図１３に示される段階では、二重膜シール・アクチュエータ１３０は、その第１の、コネクタ部２５の遠位端で遠位の位置にあり、バイアル・アダプタ１６０の膜囲壁１７１の近くに移動させられる。図１３に示される、流体移送装置１０、コネクタ部２５、バイアル・アダプタ１６０、及びバイアル１４のすべての要素は、図９及び図１２を参照して上記に説明されている。
【００８４】
　図１４は、固定された二重膜係合手順の第２のステップを示す。自然な傾向により可撓性アーム１３３及び１３４が拡張された部分を側方に外側に向かって押し、拡張要素１６１及び１６２がショルダ部分１２９に保持されるとき、膜囲壁１７１の直径は、拡張要素１６１及び１６２との間の間隔よりも小さい。これによって、膜囲壁１７１が１１９の内部に難なく進入することができる。コネクタ部２５がバイアル・アダプタ１６０の方向に押されると、拡張要素１６１及び１６２がショルダ部分１２９に保持され、膜囲壁１７１の側面によって内側に移動するのが防止される。ショルダ１２９の上方の表面１３１及び１３２は、それぞれアーム１３３及び１３４の遠位部分と接触し、それらがコネクタ部２５の本体１２８に対して近位に移動するのを防止する。
【００８５】
　図１５は、固定された二重膜係合手順の第３のステップを示す。コネクタ部２５がさらに遠位に移動すると、Ｔ字型膜１４３の遠位の膜部分１４７が、膜囲壁１７１の中央の開口１７２（図１１）に入る。遠位の膜部分１４７は、バイアル・アダプタの膜１７６に接触し、濃い領域１９４によって概略的に表されるように、２つの膜は、互いに対して圧縮される。膜が共に押し付けられている間、アクチュエータ１３０がコネクタ２５の本体１２８へ上昇して入れるようになることが、拡張要素１６１及び１６２によって防止される。
拡張要素１６１及び１６２は、バイアル・アダプタ６０の膜囲壁１７１の外側表面によって、コネクタ２５の本体２８の壁の遠位のショルダ部分１２９から出ることが防止される。コネクタ部２５及びバイアル・アダプタ１６０を共に押すためにより大きな力が加えられると、膜の圧縮量が増加して、膜囲壁１７１の側面が拡張要素６１及び６２を過ぎて移動するまで、長手方向の延長部１６９及び膜囲壁１７１が移動して１１９のさらに内部に入る。拡張要素１６１及び１６２は、もはや膜囲壁によって阻止されなくなった後に、径方向内側に移動でき、ショルダ部分１２９から解除され、膜囲壁１７１の遠位の下側面１８１に当接する。この段階で、２つの膜１４３及び１４７が固定結合及び圧縮結合の状態で互いにロックされる。
【００８６】
　図１６は、固定された二重膜係合手順の第４のステップを示す。拡張要素１６１及び１６２は、コネクタ部２５のショルダ部分１２９から解除され、コネクタ部の本体１２８の内壁によって側方に外側に移動するのが防止される。これによって、バイアル・アダプタの膜囲壁１７１が、二重シール・アクチュエータ１３０に固定して取り付けてられて維持される。コネクタ部２５がバイアル・アダプタ１６０に対してさらに遠位に移動すると、二重膜シール・アクチュエータ１３０及び取り付けられたバイアル・コネクタ１６０がコネクタ部２５の内部１１９において近位に移動する。導管４６及び４８はコネクタ部２５の近位端で針ホルダ１１５に固く固定されるので、二重膜シール・アクチュエータ１３０が近位に移動すると、導管４６及び４８の尖った遠位端４６ａ及び４８ａが、バイアル・コネクタ１６０内の長手方向のチャネル１７８及び１７９に入るまで、ダイアフラム１４３及び１７６を貫通して漸進的に押し出される。バイアル・コネクタ１６０がバイアル１４に予め連結されているので、スパイク１７７はバイアル１４の最上部で膜１６５を貫通し、したがってこの時点で２つの独立の流体通路がそれぞれ、バイアル１４の内部、遠位の液体チャンバ３８、流体移送装置１０内の近位の空気チャンバ４０の間で確立される。
【００８７】
　
図１６に示されるように、拡張要素１６１及び１６２の近位の内部表面が膜囲壁１７１の平らな下側面に係合し、外側に移動することが防止される。したがって、膜囲壁１７１が通常の取り扱いの下でコネクタ部から不意に係脱することが防止される。
Ｈ「図９
」
Ｉ「図１１
」
Ｊ「図１６
」
Ｋ　摘記事項Ｅ、Ｈ、Ｊから、液体導管４８の尖った端部４８ａは外側本体１２８及びショルダ部１２９内に配置されていることが看て取れる。
Ｌ　摘記事項Ｅ、Ｈから、二重膜シール・アクチュエータ１３０は、近位端及び遠位端を有することが看て取れる。
Ｍ　摘記事項Ｇ、Ｈから、拡張要素１６１及び１６２は、アーム１３３及び１３４に対して、半径方向内方および半径方向外方に突出していることが看て取れる。
Ｎ　摘記事項Ｆ、Ｉから、バイアル１４のヘッド部２０と係合するカラー部１６５の円周部のセグメント１６７は、弧状であり、キャップ１６８に２本のアームを介して弾性的に接続されることが看て取れる。
（２）上記記載、及び、認定事項から、引用文献１には、次の技術的事項が記載されているものと認められる。
ａ　引用文献１に記載された技術は、注射器用のコネクタ部２５に関するものである（摘記事項Ｃ、Ｄ、Ｅ）。
ｂ　コネクタ部２５は、外側本体１２８及びショルダ部１２９を備え、該外側本体１２８及びショルダ部１２９が、近位のキャップ１１３と開口１２６とを有し、前記近位のキャップ１１３が装置１０の近位部２７に連結されるように構成される（摘記事項Ｅ）。
ｃ　コネクタ部２５は、近位端及び尖った端部４８ａを有する液体導管４８を備え、該液体導管４８の尖った端部４８ａが、外側本体１２８及びショルダ部分１２９内に配置されている（摘記事項Ｅ、Ｈ、Ｊ、認定事項Ｋ）。
ｄ　コネクタ部２５は、近位端及び遠位端を有する二重膜シール・アクチュエータ１３０を備え、該二重膜シール・アクチュエータ１３０は、外側本体１２８及びショルダ部分１２９内に配置される（摘記事項Ｅ、Ｈ、認定事項Ｌ）。
ｅ　二重膜シール・アクチュエータ１３０は、円筒形のアクチュエータ・ケーシング１３７と、アクチュエータ・ケーシング１３７内に設置される膜１４３と、拡張要素１６１及び１６２とを備え、前記拡張要素１６１及び１６２は、拡張要素１６１と拡張要素１６２を含み、前記拡張要素１６１は、二重膜シール・アクチュエータ１３０の前記アクチュエータ・ケーシング１３７に弾性のアーム１３３を介して接続され、前記拡張要素１６２は、二重膜シール・アクチュエータ１３０の前記アクチュエータ・ケーシング１３７に弾性のアーム１３４を介して接続され、前記拡張要素１６１及び１６２は、前記アーム１３３及び１３４に対して、半径方向内方および半径方向外方に突出している（摘記事項Ｅ、Ｇ、Ｈ、認定事項Ｍ）。
ｆ　二重膜シール・アクチュエータ１３０は、拡張された部分が外側に押され、バイアル・アダプタ１６０の膜囲壁１７１が内部に進入することができる遠位の位置から、前記拡張要素１６１及び１６２が外側に移動することが防止される近位に移動できる（摘記事項Ｇ）。
ｇ　外側本体１２８及びショルダ部１２９の開口１２６は、二重膜シール・アクチュエータ１３０が遠位の位置にあるとき、前記二重膜シール・アクチュエータ１３０の拡張要素１６１及び１６２を受け入れるショルダ部分１２９を備えている（摘記事項Ｅ、Ｇ、Ｈ）。
（３）上記（１）、（２）から、引用文献１には、以下の発明（以下、「引用発明」という。）が記載されていると認められる。
「注射器用のコネクタ部２５であって、
　近位のキャップ１１３と開口１２６とを有し、前記近位のキャップ１１３が装置１０の近位部２７に連結されるように構成される外側本体１２８及びショルダ部１２９と、
　近位端及び尖った端部４８ａを有する液体導管４８であって、該液体導管４８の尖った端部４８ａが、外側本体１２８及びショルダ部分１２９内に配置された、前記液体導管４８と、
　近位端及び遠位端を有する二重膜シール・アクチュエータ１３０であって、該二重膜シール・アクチュエータ１３０は、前記外側本体１２８及びショルダ部分１２９内に配置され、前記二重膜シール・アクチュエータ１３０は、円筒形のアクチュエータ・ケーシング１３７と、アクチュエータ・ケーシング１３７内に設置される膜１４３と、拡張要素１６１及び１６２とを備え、前記拡張要素１６１は、前記二重膜シール・アクチュエータ１３０の前記アクチュエータ・ケーシング１３７に弾性のアーム１３３を介して接続され、前記拡張要素１６２は、前記二重膜シール・アクチュエータ１３０の前記アクチュエータ・ケーシング１３７に弾性のアーム１３４を介して接続され、前記拡張要素１６１及び１６２は、前記アーム１３３及び１３４に対して、半径方向内方および半径方向外方に突出し、前記二重膜シール・アクチュエータ１３０は、拡張された部分が外側に押され、バイアル・アダプタ１６０の膜囲壁１７１が内部に進入することができる遠位の位置から、前記拡張要素１６１及び１６２が外側に移動することが防止される近位に移動できる、前記二重膜シール・アクチュエータ１３０、
を備え、
　前記外側本体１２８及びショルダ部１２９の開口１２６は、前記二重膜シール・アクチュエータ１３０が遠位の位置にあるとき、前記二重膜シール・アクチュエータ１３０の前記拡張要素１６１及び１６２を受け入れるショルダ部分１２９を備えている注射器用のコネクタ部２５。」
（４）上記（１）の摘記事項Ｉ、認定事項Ｎから、引用文献１には、次の技術が記載されていると認められる。
「バイアル・アダプタであって、
　キャップ１６８と、カラー部１６５とを備え、前記カラー部１６５は、弧状の円周部のセグメント１６７を含み、前記弧状の円周部のセグメント１６７は、前記キャップ１６８に２本のアームを介して弾性的に接続され、カラー部分１６５の円周部のセグメント１６７が、バイアル１４のヘッド部２０と係合するバイアル・アダプタ１６８。」
２　引用文献２
（１）引用文献２には、以下の事項が記載されている。なお、下線は、当審において付与した。また、括弧内は、当審による仮訳である。
Ａ「The invention relates to a connecting device for use in a medical fluid transfer arrangement, the connecting device comprising first and second generally cylindrical parts, the first part comprising a hollow piercing member comprising an inner channel and the second part comprising a bottle coupling member. The invention also concerns a method for applying the connecting device to a medical bottle.」（明細書１頁３行−７行） 
（本発明は、医療用の流体移送装置に使用するための接続装置に関するものであって、当該接続装置は、第１及び第２のほぼ円筒形の部分を含み、第１の部分は、内部通路を有する中空穿刺部材を備え、第２の部分は、ボトル連結部材を備えている。また、本発明は、接続装置を医療用ボトルに適用するための方法に関する。）
Ｂ「The interlocking means may be of the reversible type that is designed so that it can be reopened without destroying or damaging the connecting device.」（明細書５頁２２行−２４行）
（連結手段は、接続装置を破壊または損傷することなく開放することができるようになっている可逆型のものであってもよい。）
Ｃ「The second part 3 of the bottle connector 1 is shown in Fig. 2b and is seen from the second end 7 which is the end that is arranged to be remote from the second end 5 of the firs part 2 when the bottle connector 1 is assembled.」（明細書１３頁１７行−１９行）
（ボトルコネクタ１の第２の部分３は、図２Ｂに示されており、ボトルコネクタ１が組み立てられたときには、第１の部分２の第２の端部５から離れて配置される第２の端部７から見られる。）
Ｄ「The first end 6 of the second part 3 has an end wall 33 with an end opening 34.」（明細書１４頁１３行）
（第２の部分３の第１の端部６は、開口３４を有する端壁３３を有している。）
Ｅ「The second end 7 of the second part 3 is provided with hook elements 35. The hook elements 35 are configured to fit over a bottle neck to keep the bottle connector 1 locked to the bottle, in order to facilitate application of the bottle connector 1 to a bottle, the side wall of the second part 3 of the bottle connector 1 is divided into flexible tongues 36 that can be slightly bent outwardly as the bottle connector 1 is pressed down over a bottle neck. The flexible tongues 36 may be two or more, such as 2-30 flexible tongues. The hook elements 35 are arranged at the free ends of the flexible tongues 36. Alternatively, the side wall of the second part 3 may be provided with slits extending in the axial direction of the second part 3.」（明細書１４頁１９行−２７行）
（第２の部分３の第２の端部７は、フック要素３５が設けられている。フック要素３５は、ボトルコネクタ１のボトルへの係止を保持するために、ボトル首部に適合するように構成されている。ボトルコネクタ１のボトルへの適用を容易にするために、ボトルコネクタ１の第２の部分３の側壁は、ボトルコネクタ１がボトル首部に押し下げられるときに僅かに外側に曲げられる、可撓性舌部３６に分割されている。可撓性舌部３６は、２つ以上、例えば２−３０の可撓性の舌片であってもよい。フック要素３５は、可撓性舌部３６の自由端部に配置されている。あるいは、第２の部分３の側壁は、第２の部分３の軸線方向に延びるスリットを設けてもよい。）
Ｆ「The hook elements 35 on the second part 3 of the bottle connector 1 are configured to fit under the rim 44 around the bottle opening 43 in the medical bottle 41 to keep the bottle connector 1 securely locked in position over the bottle opening 43.
Fig. 5a shows the bottle connector 1 and the medical bottle 41 just before the bottle connector 1 is brought into contact with the bottle 41. The tip 40 of the piercing member 9 can be seen to protrude slightly past the edge of the second end 5 of the first part 2 of the bottle connector 1 but not past the edge of the second end 7 of the second part 3 of the bottle connector 1.
Fig. 5b shows the bottle connector 1 and the medical bottle 41 in the process of being pressed down onto the medical bottle 41 but before the hook elements 35 on the flexible tongues at the second end 7 of the second part of the bottle connector 1 have snapped into engagement with the rim 44 at the bottle neck 42.
While applying the second part 3 of the bottle connector 1 over the bottle neck 42, the bottle connector 1 is kept in the transport configuration by means of the locking protrusions 31 on the locking tongues 30 on the second part 3 of the bottle connector 1 being engaged with the first locking openings 17 in the first part 2 of the bottle connector 2.
After coupling of the bottle connector 1 to the bottle neck 42, the piercing member 9 on the first part of the bottle connector 1 is brought to penetrate the sealing member 45 in the bottle opening 43 by telescopically sliding or pushing the first part 2 in relation to the second part 3 and bringing the connecting device to assume the fluid transfer configuration shown in Fig. 5c and described in detail in connection with Figs. 4a and 4b.」（明細書１７頁１行−２２行）
（ボトルコネクタ１の第２の部分３のフック要素３５は、ボトルコネクタ１がボトル開口部４３の上に確実にロックされた状態を保持するように、医療ボトル４１のボトル開口部４３の周囲のリム４４の下に適合するように構成されている。
　図５ａは、ボトルコネクタ１が医療ボトル４１に接触する直前のボトルコネクタ１と医療ボトル４１とを示している。穿刺部材９の先端部４０は、ボトルコネクタ１の第１の部分２の第２の端部５の縁部を僅かに超えて突出しているが、ボトルコネクタ１の第２の部分３の第２の端部７の縁部を超えていないのが見える。
　図５ｂは、医療用ボトル４１上に押し下げられているが、ボトルコネクタ１の第２の部分の第２の端部７の可撓性の舌片上のフック要素３５がボトル首部４２のリム４４に係合する前の工程におけるボトルコネクタ１と医療ボトル４１とを示している。
　ボトル首部４２上にボトルコネクタ１の第２の部分３を適合すると、ボトルコネクタ１の第２の部分３の係止片３０に形成した係止突部３１がコネクタ２の第１部分２の第１係止孔１７に係合することにより、ボトルコネクタ１は輸送形態に維持される。
　ボトルコネクタ１をボトル首部４２に結合した後、ボトルコネクタ１の第１の部分の穿刺部材９は、第１の部分２を第２の部分３に対して入れ子式にに摺動させるか又は押すことによって、ボトル開口部４３のシール部材４５に貫通され、接続装置を図５ｃに示され図４ａ、４ｂに詳細に記載された流体移送形態とする。）
Ｇ「Fig.2b
」
Ｈ「Fig.5b
」
Ｉ「Fig.5c
」
Ｊ　摘記事項Ｄ、Ｅ、Ｇから、可撓性舌部３６は、フック要素３５が設けられた弧状部分が端壁３３に複数のアームを介して弾性的に接続されていることが看て取れる。
Ｋ　摘記事項Ｅ、Ｆ、Ｇ、Ｈ、Ｉから、ボトルコネクタ１の第２の部分３は、ボトルコネクタ１の第１の部分２内に移動可能に配置され、ボトルコネクタ１の第２の部分３が図５ｂに示された第１の位置にあるときに、フック要素３５が設けられた可撓性舌部３６が外側に曲げられてボトル首部４２のリム４４に係合することができ、ボトルコネクタ１の第２の部分３が図５ｃに示された第２の位置にあるときに、フック要素３５が設けられた可撓性舌部３６の外側への曲げが規制されていることが看て取れる。
（２）上記記載、及び、認定事項から、引用文献２には、次の技術が記載されていると認められる。
「医療用の流体移送装置に使用するための接続装置であって、
　第１の部分２と、
　第２の部分３であって、該第２の部分３は、前記第１の部分２内に配置され、前記第２の部分３は、端壁３３と、フック要素３５が設けられた可撓性舌部３６とを備え、前記フック要素３５が設けられた可撓性舌部３６は、弧状部分を含み、前記弧状部分は、前記第２の部分３の端壁３３に複数のアームを介して弾性的に接続され、前記第２の部分３は、前記フック要素３５が設けられた可撓性舌部３６が外側に曲げられてボトル首部４２のリム４４に係合する第１の位置から、フック要素３５が設けられた可撓性舌部３６の外側への曲げが規制されている第２の位置に移動可能である接続装置。」
第５　対比
　本願発明と引用発明とを対比すると、引用発明の「注射器用のコネクタ部２５」は、その文言の意味、機能又は構成等からみて、本願発明の「シリンジアダプタ」に相当する。
　以下同様に、本願発明の「ハウジング」に関し、「近位のキャップ１１３」は「第１端」に、「開口１２６」は「第２端」に、「装置１０の近位部２７」は「第１の容器」に、「連結される」という態様は「固定される」という態様に、「外側本体１２８及びショルダ部１２９」は「ハウジング」に、それぞれ相当する。
　本願発明の「カニューレ」に関し、「近位端」は「第１端」に、「尖った端部４８ａ」は「第２端」に、「液体導管４８」は「カニューレ」に、それぞれ相当する。
　本願発明の「コレット」に関し、「近位端」は「第１端」に、「遠位端」は「第２端」に、「二重膜シール・アクチュエータ１３０」は「コレット」に、「二重膜シール・アクチュエータ１３０は、前記外側本体１２８及びショルダ部分１２９内に配置され」という態様は「コレットの少なくとも一部は、前記ハウジング内に受容され」という態様に、「円筒形のアクチュエータ・ケーシング１３７」は「通路を画定する本体」に、「アクチュエータ・ケーシング１３７」は「本体」に、「アクチュエータ・ケーシング１３７内に設置される膜１４３」は「通路に受容されるシール部材」に、「拡張要素１６１及び１６２」及び「拡張された部分」は「ロック部材」に、「アーム１３３」及び「アーム１３４」は「アーム」に、「バイアル・アダプタ１６０の膜囲壁１７１」は「相手コネクタ」に、「拡張された部分が外側に押され、バイアル・アダプタ１６０の膜囲壁１７１が内部に進入することができる遠位の位置」は「ロック部材が、開かれて、相手コネクタを受容する第１の位置」に、「拡張要素１６１及び１６２が外側に移動することが防止される近位」は「ロック部材の径方向外方への移動が規制される第２の位置」に、「移動できる」という態様は「移動可能」という態様に、それぞれ相当する。
　さらに、「備え」という態様は「含み」という態様に、「遠位の位置」は「第１の位置」に、「ショルダ部分１２９」は「環状凹部」に、「備えている」は「画定する」に、それぞれ相当する。
　そして、引用発明の「拡張要素１６１」と本願発明の「第１の弧状部分」とは、「第１の係合部分」という点において共通し、以下同様に、「拡張要素１６２」と「第２の弧状部分」とは「第２の係合部分」という点において、「拡張要素１６１は、二重膜シール・アクチュエータ１３０のアクチュエータ・ケーシング１３７に弾性のアーム１３３を介して接続され」という態様と「第１の弧状部分は、コレットの本体に複数のアームを介して弾性的に接続され」という態様とは「第１の係合部分は、コレットの本体にアームを介して弾性的に接続され」という態様において、「拡張要素１６２は、二重膜シール・アクチュエータ１３０のアクチュエータ・ケーシング１３７に弾性のアーム１３４を介して接続され」という態様と「第２の弧状部分は、コレットの本体に複数のアームを介して弾性的に接続され」という態様とは「第２の係合部分は、コレットの本体にアームを介して弾性的に接続され」という態様において、「拡張要素１６１及び１６２は、アーム１３３及び１３４に対して、半径方向内方および半径方向外方に突出し」という態様と「第１および第２の弧状部分は、複数のアームに対して、半径方向内方および半径方向外方に突出し」という態様とは「第１および第２の係合部分は、複数のアームに対して、半径方向内方および半径方向外方に突出し」という態様において、それぞれ共通する。
　してみると、本願発明と引用発明とは、以下の点において一致する。
「シリンジアダプタであって、
　第１端および第２端を有し、前記第１端が、第１の容器に固定されるように構成される、ハウジングと、
　第１端および第２端を有するカニューレであって、該カニューレの第２端が、前記ハウジング内に配置された、前記カニューレと、
　第１端および第２端を有するコレットであって、該コレットの少なくとも一部は、前記ハウジング内に受容され、前記コレットは、通路を画定する本体と、前記通路に受容されるシール部材と、ロック部材とを備え、前記ロック部材は、第１の係合部分と、第２の係合部分を含み、前記第１の係合部分は、前記コレットの前記本体にアームを介して弾性的に接続され、前記第２の係合部分は、前記コレットの前記本体にアームを介して弾性的に接続され、前記第１および第２の係合部分は、前記複数のアームに対して、半径方向内方および半径方向外方に突出し、前記コレットは、前記ロック部材が、開かれて、相手コネクタを受容する第１の位置から、前記ロック部材の径方向外方への移動が規制される第２の位置に移動可能である、前記コレット、
を含み、
　前記ハウジングの前記第２端は、前記コレットが前記第１の位置にあるとき、前記コレットの前記ロック部材を受け入れる環状凹部を画定することを特徴とするシリンジアダプタ。」
　そして、本願発明と引用発明とは、以下の点において相違する。
［相違点］
　第１、２の係合部分の形状、および前記係合部分に接続するアームの数に関して、本願発明は、それぞれ、形状は弧状であり、数は複数であるのに対して、引用発明は、いずれも明らかではない点。
第６　判断
１　相違点について
　引用発明は、上記［相違点］に記載のとおり、拡張要素１６１及び１６２の形状やアームの数が不明である。
　しかしながら、医療用の接続装置において、医療部材に係合する係合部分が弧状であり、前記弧状の係合部分が、複数のアームを介して弾性的に接続される技術は、引用文献１及び引用文献２に記載されたように周知技術である（以下、「周知技術」という。）。そして、引用発明を実施する際に、同様の医療用の接続装置である、拡張要素１６１及び１６２の形状やアームの数に対し、上記周知技術を採用することは、当業者が容易になし得たことである。
　また、本願発明の奏する効果は、引用発明及び上記周知技術の奏する効果から予測される範囲内のものにすぎず、格別顕著なものということはできない。
　したがって、本願発明は、引用発明及び上記周知技術に基いて、当業者が容易に発明をすることができたものである。
２　請求人の主張について
（１）令和２年１月２９日付け意見書において、審判請求人は、引用文献１には「コネクタ部２５の本体１２８に、拡張要素１６１及び１６２を受け入れる環状凹部を備えることは記載されていません。」と主張している（４頁２０行−２１行）。
　しかしながら、上記第５にて示したように、引用発明の「外側本体１２８及びショルダ部１２９」が本願発明の「ハウジング」に相当し、引用発明の「ショルダ部１２９」は、外側本体１２８及びショルダ部１２９の端部に設けられた環状の凹部と認められるので、前記「ショルダ部１２９」は本願発明の「環状凹部」に相当する。
（２）上記意見書において審判請求人は、引用発明の「ショルダ部１２９は、開口１２６で終端する構造のものであることからすると、これを、あえて、開口で終端しないもの（本願請求項１に係る発明の環状凹部）に変更する動機はないと思料します。」と主張している（６頁３９行−４１行）。
　しかしながら、「凹部」の「凹」とは、株式会社岩波書店広辞苑第六版によると「物の表面が部分的にくぼんでいること。くぼみ。」を意味しており、引用発明の「ショルダ部１２９」もその内面において外側本体１２８の内面からくぼんでいて、外側本体１２８及びショルダ部１２９の全周に渡っているものと認められるから、「環状凹部」といえる。
（３）上記意見書において審判請求人は、引用文献２記載の「可撓性舌部３６」について、「可撓性舌部３６は、ボトルコネクタ１を確実に係止するためのものであり、ボトルコネクタ１を係脱できるようにしたものではないと考えられます。」と主張している（７頁７行−９行）。
　しかしながら、引用文献２記載の接続装置は、上記第４　２（１）Ｂに摘記したとおり、可逆型、すなわち係脱できるものである。
（４）上記意見書において審判請求人は、引用文献２記載の「可撓性舌部３６」について、「この可撓性舌部３６は、ボトルネックによって外側に曲がるようにされたものですので、引用文献１に記載された、可撓性アーム１３３及び１３４と拡張要素１６１及び１６２の機能とは異なっています（引用文献１には、上述したとおり、「自然な傾向により可撓性アーム１３３及び１３４が拡張された部分を側方に外側に向かって押し、拡張要素１６１及び１６２がショルダ部分１２９に保持されるとき、膜囲壁１７１の直径は、拡張要素１６１及び１６２との間の間隔よりも小さい。」（段落００８４）と記載されています。）。したがって、当業者は、引用文献１の可撓性アーム１３３及び１３４と拡張要素１６１及び１６２に代えて、引用文献２の可撓性舌部３６およびフック要素３５を用いることを想起しないと思料します。」と主張している（７頁９行−１７行）。
　しかしながら、上記１に示したとおり、引用発明の実施に際し、上記周知技術と同様の医療用の接続装置である、拡張要素１６１及び１６２に対し、単なる形状等の上記周知技術を採用することは、当業者が容易になし得たことであり、また、それにより格別顕著な効果を奏するものともいえない。
（５）よって、請求人の主張は、いずれも当を得たものではなく、採用できない。
第７　むすび
　以上のとおり、本願発明は、引用発明及び上記周知技術に基いて、当業者が容易に発明をすることができたものであるから、特許法第２９条第２項の規定により特許を受けることができない。
　したがって、他の請求項に係る発明について検討するまでもなく、本願は拒絶すべきものである。
　よって、結論のとおり審決する。